(57)【要約】【課題】文字板側の構成を複雑化することなく表示対象の状態変化を明確に表すことができる自発光指針を提供する。【解決手段】文字板の目盛等の指標と協働して計測量を観測者から視認可能に表示するための指示部を、該指示部１１内に導いた光によって発光させる自発光指針１０であって、前記指示部１１は、該指示部１１の延在方向と交わる幅方向に列設された複数の分割導光部材１２ａ，ｂと、前記各分割導光部材１２ａ，ｂ内を導かれる光の隣り合う他の前記分割導光部材１２ａ，ｂへの入射を阻止する阻止手段１３と、を備え、前記各分割導光部材１２ａ，ｂに入射される光のみにより光輝するように構成されていることを特徴とする。【選択図】図３
2005121376.tif 000002
【特許請求の範囲】
【請求項１】
文字板の目盛等の指標と協働して計測量を観測者から視認可能に表示するための指示部を、該指示部内に導いた光によって発光させる自発光指針であって、
前記指示部は、
該指示部の延在方向と交わる幅方向に列設された複数の分割導光部材と、前記各分割導光部材内を導かれる光の隣り合う他の前記分割導光部材への入射を阻止する阻止手段と、を備え、
前記各分割導光部材に入射される光のみにより光輝するように構成されている
ことを特徴とする自発光指針。
【請求項２】
前記複数の分割導光部材は、前記指示部が回動される際に、当該指示部の回動方向とは反対方向寄りの前記分割導光部材にのみ光が入射される
ことを特徴とする請求項１に記載の自発光指針。
【請求項３】
前記指示部はさらに、前記複数の分割導光部材が出射した光を前記文字板の表面側に出射するように前記複数の分割導光部材を覆う遮光部材を備え、
前記遮光部材の前記観測者から目視可能な表面部分には、前記各分割導光部材を露出させるスリットが形成されている
ことを特徴とする請求項１又は２に記載の自発光指針。
【請求項４】
前記指示部が周縁から連設する指針キャップの内部に、予め定められた前記分割導光部材の端部と対向するように収容され、該端部から入射される光を発光する複数の光源をさらに備え、
前記複数の光源は、指針外部の電力供給系統に接続される電力供給ラインに、該電力供給ラインの予め定められた電力供給パターンで前記複数の光源の点灯、消灯が制御されるように組み込まれる
ことを特徴とする請求項１〜３の何れかに記載の自発光指針。
【請求項５】
計測量に応じて指針を移動させ、観測者から常時視認可能な文字板に付した目盛等の指標と協働して計測量を表示する指針式表示装置において、
前記指針を、請求項１〜４の何れかに記載の自発光指針とし、
光輝させるべき前記自発光指針の分割導光部材に光を入射させる制御を行う制御手段を備える
ことを特徴とする指針式表示装置。
【請求項６】
前記制御手段は、前記指示部の回動方向とは反対方向寄りの前記分割導光部材に光を入射させるように前記制御を行う
ことを特徴とする請求項５に記載の指針式表示装置。
【発明の詳細な説明】
【技術分野】
【０００１】
本発明は、自発光指針及び指針式表示装置に関し、より詳細には、文字板の前面側に設けられ、該文字板に付した目盛及び数字、文字または記号等の指標と協働して計測量を観測者から視認可能に表示するための指示部を、該指示部内を導いた光によって発光させる自発光指針、及び、その自発光指針を用いた指針式表示装置に関するものである。
【背景技術】
【０００２】
一般に車両には、車両速度及びエンジン回転数等の計測値を表示する指針式表示装置が搭載されている。この指針式表示装置は、表面に目盛及び数字、文字または記号等の指標が設けられた文字板と、この文字板の前面に配置される指針と、計測量に応じて指針を駆動する内機と、回路パターンが設けられ内機が固定される配線板とを有して構成している。
【０００３】
これらの指針式表示装置には、文字板上の文字、目盛などの部分は透光性、それ以外の部分を非透光性で構成し、夜間、文字板の背面側から入射した光によって文字板上の透光性の文字、目盛などの部分を視認させるようにした計器、文字板の前面側から照明することで視認させるようにした計器、照明光源からの光を導光して指針の指示部を発光させる計器などが知られている。
【０００４】
運転者等は、指針式表示装置の指針の移動状態を目視により感知して車両の運動状態の変化を認識することから、指針の移動状態を明確に示すことができる指針式表示装置が従来より各種提案されている。そして、本出願人は、指針の残像を表示することで、指針の位置、指針の移動方向、及び指針の移動状態変化を明確に示すことができる指針残像表示装置を提案している。この指針残像表示装置は、指針の移動範囲に対応して配列された複数のセグメントを文字板に設け、指針の移動方向、位置に基づいてセグメントの表示を制御することで、指針の移動に応じた所定の残像を表示するようにしていた（特許文献１）。
【特許文献１】特開平１１−２０５０７号公報  （第３頁、第４図）
【発明の開示】
【発明が解決しようとする課題】
【０００５】
しかしながら、上述した指針残像表示装置では、文字板のセグメント毎に対応して文字板の背面側にプリズムとＬＥＤとを配置する必要があり、残像の視覚効果を得るためにはセグメントを多く用いる必要があることから、セグメントを多くすると制御回路が複雑になり、かつ、部品点数が多くなるため、表示装置のコストアップになってしまうという問題が生じていた。また、セグメント数が少ないと、残像の視覚効果が薄まってしまうという問題が生じてしまう。このように指針によって表示対象の状態変化を明確に表示しようとすると、装置の構成が複雑になってしまうという問題が生じる。
【０００６】
よって本発明は、上述した問題点に鑑み、文字板側の構成を複雑化することなく表示対象の状態変化を明確に表すことができる自発光指針、及び指針式表示装置を提供することを課題としている。
【課題を解決するための手段】
【０００７】
上記課題を解決するため本発明によりなされた請求項１記載の自発光指針は、文字板の目盛等の指標と協働して計測量を観測者から視認可能に表示するための指示部を、該指示部内に導いた光によって発光させる自発光指針であって、前記指示部は、該指示部の延在方向と交わる幅方向に列設された複数の分割導光部材と、前記各分割導光部材内を導かれる光の隣り合う他の前記分割導光部材への入射を阻止する阻止手段と、を備え、前記各分割導光部材に入射される光のみにより光輝するように構成されていることを特徴とする。
【０００８】
上記請求項１に記載した本発明の自発光指針によれば、ＬＥＤ、バルブ等の光源にて発した光が、発光させるべき分割導光部材内に入射されると、その入射光は素子手段によって隣り合う他の分割導光部材へ入射されることが阻止され、その分割導光部材の内部を導光されることで、指示部を構成する任意の分割導光部材のみが光輝するため、指示部は部分的に発光する。
【０００９】
上記課題を解決するためになされた請求項２記載の発明は、請求項１に記載の自発光指針において、前記複数の分割導光部材は、前記指示部が回動される際に、当該指示部の回動方向とは反対方向寄りの前記分割導光部材にのみ光が入射されることを特徴とする。
【００１０】
上記請求項２に記載した本発明の自発光指針によれば、指示部が回動される際は、その回動方向とは反対方向寄りの分割導光部材にのみ光が入射され、その入射光が分割導光部材の内部を導光されることで、回動方向とは反対方向寄りの分割導光部材のみが光輝するため、指示部はその回動方向とは反対方向寄りのみを発光する。
【００１１】
上記課題を解決するためになされた請求項３記載の発明は、請求項１又は２に記載の自発光指針において、前記指示部はさらに、前記複数の分割導光部材が出射した光を前記文字板の表面側に出射するように前記複数の分割導光部材を覆う遮光部材を備え、前記遮光部材の前記観測者から目視可能な表面部分には、前記各分割導光部材を露出させるスリットが形成されていることを特徴とする。
【００１２】
上記請求項３に記載した本発明の自発光指針によれば、分割導光部材に入射された光は、その内部を導光され、分割導光部材から文字板の表面側に向けて出射した光は、文字板の表面で反射することで、その部分が観測者から視認される。また、分割導光部材から観測者側に向けて出射した光は、遮光部材のスリットを通過して観測者側に出射される。
【００１３】
上記課題を解決するためになされた請求項４記載の発明は、請求項１〜３の何れかに記載の自発光指針において、前記指示部が周縁から連設する指針キャップの内部に、予め定められた前記分割導光部材の端部と対向するように収容され、該端部から入射される光を発光する複数の光源をさらに備え、前記複数の光源は、指針外部の電力供給系統に接続される電力供給ラインに、該電力供給ラインの予め定められた電力供給パターンで前記複数の光源の点灯、消灯が制御されるように組み込まれることを特徴とする。
【００１４】
上記請求項４に記載した本発明の自発光指針によれば、指針キャップの内部に収容され、電源供給ラインに組み込まれた各光源は、その電力供給ラインの予め定められた電力供給パターンによって点灯、消灯が制御される。そして、その制御によって光源が発した光は、その光源に対向する分割導光部材の端部からその内部に入射され、その入射光は分割導光部材の内部を導光されることで、電力供給パターンに応じて発光した光源に対向する分割導光部材のみが光輝する。
【００１５】
上記課題を解決するため本発明によりなされた請求項５記載の指針式表示装置は、計測量に応じて指針を移動させ、観測者から常時視認可能な文字板に付した目盛等の指標と協働して計測量を表示する指針式表示装置において、前記指針を、請求項１〜４の何れかに記載の自発光指針とし、光輝させるべき前記自発光指針の分割導光部材に光を入射させる制御を行う制御手段を備えることを特徴とする。
【００１６】
上記請求項５に記載した本発明の指針式表示装置によれば、制御手段による制御に応じて、自発光指針の光輝させるべき分割導光部材に光が入射されると、その入射光は分割導光部材の内部を導光されることで、指示部を構成する任意の分割導光部材のみが光輝するため、指示部は部分的に発光する。
【００１７】
上記課題を解決するためになされた請求項６記載の発明は、請求項５に記載の指針式表示装置において、前記制御手段は、前記指示部の回動方向とは反対方向寄りの前記分割導光部材に光を入射させるように前記制御を行うことを特徴とする。
【００１８】
上記請求項６に記載した本発明の指針式表示装置によれば、指示部を回動する際に、制御手段は、その回動方向とは反対方向寄りの分割導光部材にのみ光を入射させるように制御を行い、その入射光が分割導光部材の内部を導光されることで、指示部においては回動方向とは反対方向寄りの分割導光部材のみが発光する。
【発明の効果】
【００１９】
以上説明したように請求項１に記載した本発明の自発光指針によれば、指示部の延在方向と交わる幅方向に列設された複数の分割導光部材は、入射される光によってのみ光輝し、指示部の延在方向と交わる幅方向に列設していることから、表示形態に応じて光輝させる分割導光部材を選択して光を入射させることで、指示部を部分的に光輝させることができる。従って、表示対象の状態変化に対応して分割導光部材を部分表示させることができるため、文字板側の構成を複雑化することなく、状態変化を明確に表すことができる。
【００２０】
請求項２に記載の発明によれば、請求項１に記載の発明の効果に加え、指示部が回動されると、その回動方向とは反対方向寄りの分割導光部材に光が入射されて光輝することから、回動する指示部の実像よりも光輝している分割導光部材の方が、指示部の指示位置に遅れて到達するように観測者には見えるため、このように分割導光部材を光輝させることで、恰も残像が表示されているかのように観測者に視認させることができる。
【００２１】
請求項３に記載の発明によれば、請求項１又は２に記載の発明の効果に加え、複数の分割導光部材が出射した光を文字板の表面に出射するように、遮光部材で複数の分割導光部材を覆い、その遮光部材の表面部分にスリットを形成していることから、部分的に光輝している分割像光部材を遮光部材のスリットと文字板の表面に対する出射光によって運転者は視認することができるため、状態変化をより明確に表すことができる。特に、指示部の回動方向とは反対方向寄りの分割導光部材を光輝させれば、文字板に出射された光によってより一層明確な残像効果を演出することができる。
【００２２】
請求項４に記載の発明によれば、請求項１〜３の何れかに記載の発明の効果に加え、電力供給ラインの予め定められた電力供給パターンにより複数の光源の全ての点灯、消灯が制御されるように、複数の光源を電力供給ラインに組み込んでいることから、自発光指針に複数の光源を用いても電力供給ラインの電力供給パターンによって複数の光源の点灯、消灯を制御することができるため、複数の光源を用いる場合でも電力供給ラインを増やす必要がなくなり、自発光指針における給電構造の簡素化を図ることができる。
【００２３】
以上説明したように請求項５に記載した本発明の指針式表示装置によれば、自発光指針が備える複数の分割導光部材のうち、光輝させるべき分割導光部材にのみ光が入射されるように制御することで、指示部を部分的に光輝させることができる。従って、表示対象の状態変化に対応して分割導光部材を部分表示させることができるため、文字板側の構成を複雑化することなく、状態変化を明確に表すことができる。
【００２４】
請求項６に記載の発明によれば、請求項５に記載の発明の効果に加え、自発光指針の指示部が回動されると、その回動方向とは反対方向寄りの分割導光部材に光が入射されて光輝することから、回動する指示部の実像よりも光輝している分割導光部材の方が、指示部の指示位置に遅れて到達するように観測者には見えるため、このように分割導光部材を光輝させることで、恰も残像が表示されているかのように観測者に視認させることができる。
【発明を実施するための最良の形態】
【００２５】
以下、本発明に係る自発光指針を用いた指針式表示装置において、自発光指針の分割導光部材が２つの場合の最良の形態を、図１〜６の図面を参照して説明する。
【００２６】
ここで、図１は本発明に係る指針式表示装置を採用したコンビネーションメータの正面図であり、図２は図１の本発明に係る自発光指針の構成を説明するための図であり、図３は図２の自発光指針の上面透視図であり、図４は図３の直線Ａ−Ａと通る矢印方向の断面拡大図であり、図５は指針式表示装置の概略構成の一例を示す構成図であり、図６は図５中の各ポイントにおけるタイミングチャートである。
【００２７】
図１において、車室内に設けられたコンビネーションメータ１は、運転席に着座した運転者（観測者に相当）がステアリングホイールを介してそれぞれの指針式表示装置の表示を視認できるように、運転席前方のインストルメントパネル内に配置されている。
【００２８】
前面カバーを通して運転者（観測者）から常時視認が可能なコンビネーションメータ１は、車両の走行速度を示す速度計２と、エンジンの単位時間当りの回転数を示す回転計３と、燃料タンクの燃料の残量を示す燃料計とエンジンの冷却水の温度を示す温度計を兼ね備えた車両用計器装置４等のゲージ類、及び車両にある機器類の状態を示す種々のインジケータ・ウォーニングランプ５とを含む構成となっている。そして、コンビネーションメータ１を構成するそれぞれの指針式表示装置は、運転者が一目で車両の状態を理解できるように、同一ケースに効率よく配置されている。
【００２９】
また、コンビネーションメータ１を構成するそれぞれの指針式表示装置は、互いの測定対象が異なるため、文字板の表示内容等が若干相違するが、主要な構成はほぼ同様となっている。したがって、以下、速度計２を参照して説明する。
【００３０】
速度計２を構成する指針式表示装置は、本発明に係る自発光指針１０を文字板７の前面側に設け、この文字板７に付した目盛７ａ及び数字、文字または記号等の指標７ｂと協働して計測量を表示している。
【００３１】
図２〜図４に示すように、自発光指針１０は、該文字板７に付した目盛７ａ及び指標７ｂと協働して計測量を観測者から視認可能に表示するための指示部１１を備える。この指示部１１は、該指示部１１の延在方向と交わる幅方向に連設された２つの分割導光部材１２ａ，１２ｂと、前記各分割導光部材１２ａ，１２ｂ内を導かれる光の隣り合う他の前記分割導光部材１２ａ，１２ｂへの入射を阻止する反射層（阻止手段）１３と、を備える。そして、各分割導光部材１２ａ，１２ｂは、光源から入射される光のみにより光輝するように構成されている。
【００３２】
各分割導光部材１２ａ，１２ｂは、指示部１１の先端に向かって細くなるように、アクリル樹脂等の透光性の合成樹脂によって形成している。また、反射層１３は、他の分割導光部材１２ａ，１２ｂと対面する分割導光部材１２ａ，１２ｂの側壁に、ホットスタンプ印刷等によって施されている。なお、本実施の形態では、反射層１３を各分割導光部材１２ａ，１２ｂに施しているが、何れか一方に施したり、反射部材として分割導光部材１２ａと分割導光部材１２ｂとの間に介在させるなど種々異なる実施の形態とすることができる。
【００３３】
指示部１１はさらに、２つの分割導光部材１２ａ，１２ｂが出射した光を文字板７の表面側に出射するように、それらの分割導光部材１２ａ，１２ｂを覆う遮光部材１４を備え、この遮光部材１４の運転者から目視可能な表面部分には、各分割導光部材１２ａ，１２ｂを露出させるスリット１５が形成されている。なお、本実施の形態において該スリット１５は、自発光指針１０の回動中心から指示部１１の先端に至るように形成しているが、スリット１５の長さはこれに限定するものではなく、デザイン等に応じて変化するのもである。
【００３４】
指示部１１はさらに、遮光部材１４のスリット１５に対向するように設けられ、各分割導光部材１２ａ，１２ｂから出射した光を拡散する板状の拡散部材１６を備える。そして、各分割導光部材１２ａ，１２ｂの上面（観測者から目視可能な表面部分）等から出射した光は、拡散部材１６にて拡散されるので、分割導光部材１２ａ，１２ｂの何れかしか光輝しない場合でも、スリット１５からは十分な光量の光を出射させることができる。
【００３５】
指示部１１は、文字板７の裏側に配置される内機（図示せず）により駆動される指針軸３１に固定される基部２０を覆う指針キャップ２１の周縁から連設している。この指針キャップ２１の内部には、予め定められた分割導光部材１２ａ，１２ｂの端部と対向し、該端部から入射される光を発する２つの第１ＬＥＤ２２ａ，第２ＬＥＤ２２ｂを収容している。そして、光源である第１ＬＥＤ２２ａ，第２ＬＥＤ２２ｂは、回路パターンが設けられた基板２３に実装されており、該基板２３は基部２０上に設けて指針キャップ２１に収容している。
【００３６】
なお、第１ＬＥＤ２２ａは分割導光部材１２ａ、第２ＬＥＤ２２ｂは分割導光部材１２ｂにそれぞれ一対一に対応して配置しているが、複数の分割導光部材に１つの光源、１つの分割導光部材に複数の光源を配置するなど種々異なる実施の形態とすることができる。また、光源については、バルブ等の他の部材を用いるようにしても差し支えない。
【００３７】
自発光指針１０を回動させる指針軸３１の先端部分には、導電性部材により円柱状に形成された接続金具３２が、指針軸３１と絶縁した状態で設けられている。そして、基部２０はさらに、その接続金具３２が嵌合され固定される指針袴２４を有している。該指針袴２４は、金属等の導電性部材により形成しており、基板２３に接続している。また、基板２３は、指針袴２４に嵌合された接続金具３２から突出する指針軸３１と電気的に接続する接続端子２５を備える。
【００３８】
また、指針軸３１の周囲には２個の帰零用ヒゲゼンマイ２６ａ，２６ｂが配置されている。そして、一方のヒゲゼンマイ２６ａは、その一端が接続金具３２に接続されており、他端が供給用端子２７ａに接続されている。また、他方のヒゲゼンマイ２６ｂは、ヒゲゼンマイ２６ａの下方に仕切板２８を挟んで配置されており、その一端が指針軸３１に接続されており、他端が供給用端子２７ｂに接続されている。これらの供給用端子２７ａ，２７ｂは、指針軸３１が回動自在に貫通する供給基板２９に実装されている。
【００３９】
よって、本実施の形態では、自発光指針１０を指針軸３１の先端の接続金具３２に取り付けることで、該接続金具３２と指針袴２４、かつ、接続端子２５と指針軸３１とがそれぞれ電気的に接続される。そして、ヒゲゼンマイ２６ａ，２６ｂを介して第１ＬＥＤ２２ａ，第２ＬＥＤ２２ｂ等に電力が供給されるようになっている。
【００４０】
供給基板２９は、図５に示すように、例えば５Ｖの電源（電力供給系統）＋Ｖからの電力により第１ＬＥＤ２２ａ，第２ＬＥＤ２２ｂを駆動する駆動回路４０と、例えば速度センサから入力されるセンサ信号に基づいて自発光指針１０の回動を制御するとともに、電力供給パターンに相当するパルス幅変調信号（ＰＷＭ信号）を出力して駆動回路４０を制御して自発光指針１０の点灯／消灯を制御するなど各種制御を行うマイクロ・コンピュータ、ＤＳＰ等の制御部５０と、を有する。
【００４１】
例えば、駆動回路４０は、第１コンプリメンタリー・モス（Ｃ−ＭＯＳ）Ｍ１を備え、該Ｃ−ＭＯＳ（Ｍ１）を構成するＰチャネルＭＯＳ  ＦＥＴ（ＰＭＯＳ）Ｑ１とＮチャネルＭＯＳ  ＦＥＴ（ＮＭＯＳ）Ｑ３とのゲートは、制御部５０のＰＷＭ信号を出力するＰＷＭポートと、それぞれ抵抗Ｒ１、Ｒ５及び抵抗Ｒ１、Ｒ７を介して接続している。
【００４２】
駆動回路４０はさらに、第２コンプリメンタリー・モス（Ｃ−ＭＯＳ）Ｍ２を備え、該Ｃ−ＭＯＳ（Ｑ２）を構成するＰチャネルＭＯＳ  ＦＥＴ（ＰＭＯＳ）Ｑ２とＮチャネルＭＯＳ  ＦＥＴ（ＮＭＯＳ）Ｑ４とのゲートは、制御部５０の前記ＰＷＭポートと、それぞれ抵抗Ｒ２、反転回路Ｕ１Ａ、抵抗Ｒ３、抵抗Ｒ６、及び、抵抗Ｒ２、反転回路Ｕ１Ａ、抵抗Ｒ３、抵抗Ｒ８を介して接続している。
【００４３】
ＰＭＯＳ（Ｑ１）及び（Ｑ２）の各ソースは、電源＋Ｖに接続し、かつ、ＮＭＯＳ（Ｑ３）及び（Ｑ４）の各ソースは、接地している。そして、ＰＭＯＳ（Ｑ１）とＮＭＯＳ（Ｑ３）の各ドレインは接続しており、その中間点には電力供給ラインＰの一端を接続している。同様に、ＰＭＯＳ（Ｑ２）とＮＭＯＳ（Ｑ４）の各ドレインは接続しており、その中間点には、電力供給ラインＰの他端を接続している。
【００４４】
駆動回路４０はさらに、トランジスタＱ５及びＱ６を有する。そして、トランジスタＱ５のベースは、制御部５０の第２ＬＥＤポートに抵抗Ｒ４を介して接続し、コネクタは抵抗Ｒ１、Ｒ５，Ｒ７にそれそれ接続し、エミッタは接地している。また、トランジスタＱ６のベースは、制御部５０の第１ＬＥＤポートに抵抗Ｒ９を介して接続し、コネクタは抵抗Ｒ３，Ｒ６，Ｒ８とそれぞれ接続し、エミッタは接地している。
【００４５】
また、基板２３の配設された電力供給ラインＰには、その一方向Ｃ１のみに第１Ｃ−ＭＯＳ（Ｍ１）から電力が供給されるように第１ＬＥＤ２２ａが設けられた分岐ラインＰ１と、他方向Ｃ２のみに第２Ｃ−ＭＯＳ（Ｍ２）から電力が供給されるように第２ＬＥＤ２２ｂが設けられた分岐ラインＰ２と、を並列に設けている。そして、分岐ラインＰ１には、一方向Ｃ１にダイオードＤ１と抵抗Ｒ１０を設け、分岐供給ラインＰ２には、他方向Ｃ２に抵抗Ｒ１１とダイオードＤ２を設けている。
【００４６】
抵抗Ｒ１０，Ｒ１１は、第１ＬＥＤ２２ａ、第２ＬＥＤ２２ｂの輝度バランスを調整するものである。そして、各抵抗値は、電流値の比で定めるものではなく、運転者に対する視覚的な調整等によって定められている。また、ダイオードＤ１，Ｄ２は、第１ＬＥＤ２２ａ、第２ＬＥＤ２２ｂの各々に逆方向対電圧が十分にあれば、回路構成から排除することもできる。なお、光源としてバルブを用いる場合は、ダイオードＤ１，Ｄ２は上記回路構成から排除できない。
【００４７】
このような構成とすることで、電力供給ラインＰの一方向Ｃ１に第１Ｃ−ＭＯＳ（Ｍ１）から電力が供給されたときに第１ＬＥＤ２２ａが点灯され、かつ、他方向Ｃ２に第２Ｃ−ＭＯＳ（Ｍ２）から電力が供給されたときに第２ＬＥＤ２２ｂが点灯される。
【００４８】
次に、第１ＬＥＤ２２ａ及び第２ＬＥＤ２２ｂの点灯、消灯の制御の一例を、図６のタイミングチャートを参照して説明する。なお、図６において、縦軸は、図５中のポイント（Ａ），（Ｂ），（Ｃ），（Ｄ），（Ｅ）における各電圧［Ｖ］を示し、横軸は、時間［ｍｓ］を示している。
【００４９】
図５（Ａ）に示すように、制御部５０は、ＰＷＭポートを一定周期でＯＮ／ＯＦＦさせることで、ＰＷＭ信号を出力する。なお、一定周期については、ＰＷＭ信号によって各ＬＥＤが点滅を繰り返すように制御することから、人間の目にちらつきが分からない程度の周期としている。そして、図５（Ｂ），（Ｃ）に示すように、制御部５０の第１ＬＥＤポート及び第２ＬＥＤポートがハイレベルの状態では、図（Ｄ），（Ｅ）に示すように、ＰＷＭポートから一定周期のＰＷＭ信号が入力されても、第１ＬＥＤ２２ａ及び第２ＬＥＤ２２ｂには、電力が供給されない。
【００５０】
図５（Ａ）、（Ｂ）、（Ｃ）、（Ｅ）に示すように、第１ＬＥＤポートがハイレベルのときに、第２ＬＥＤポートがハイレベルからローレベルに変化すると、ＰＷＭ信号がハイレベルのときに電力供給ラインＰの他方向Ｃ２に向かって電力が供給されることで、第２ＬＥＤ２２ｂが点灯され、また、ＰＷＭ信号がローレベルのときはその電力供給が停止されて第２ＬＥＤ２２ｂが消灯される。このように制御部５０の第２ＬＥＤポートがローレベルのときに、ＰＷＭ信号のハイレベル／ローレベルに応じて第２ＬＥＤ２２ｂが点灯／消灯が繰り返されることで、運転者は第２ＬＥＤ２２ｂが発した光によって分割導光部材１２ｂのみが光輝していると視認する。
【００５１】
また、図５（Ａ）、（Ｂ）、（Ｃ）、（Ｄ）に示すように、第２ＬＥＤポートがローレベルのときに、第１ＬＥＤポートがハイレベルからローレベルに変化すると、ＰＷＭ信号がローレベルのときに電力供給ラインＰの一方向Ｃ１に向かって電力が供給されることで、第１ＬＥＤ２２ａが点灯され、また、ＰＷＭ信号がハイレベルのときはその電力供給が停止されて第１ＬＥＤ２２ａが消灯される。このように制御部５０の第１ＬＥＤポートがローレベルのときに、ＰＷＭ信号のローレベル／ハイレベルに応じて第１ＬＥＤ２２ａが点灯／消灯が繰り返されることで、運転者は第１ＬＥＤ２２ａが発した光によって分割導光部材１２ａのみが光輝していると視認する。
【００５２】
さらに、図５（Ａ）〜（Ｅ）に示すように、第１ＬＥＤポート及び第２ＬＥＤポートが双方ともローレベルの状態では、ＰＷＭ信号がローレベルのときに第１ＬＥＤ２２ａのみが点灯され、かつ、ＰＷＭ信号がハイレベルのときに第２ＬＥＤ２２ｂのみが点灯される。よって、前記一定周期で第１ＬＥＤ２２ａと第２ＬＥＤ２２ｂを交互に点滅させることで、運転者は恰も第１ＬＥＤ２２ａ及び第２ＬＥＤ２２ｂが発した光によって分割導光部材１２ａ，１２ｂが共に光輝していると視認する。
【００５３】
次に、上述した指針式表示装置において、自発光指針１０の疑似残像表示を行うときの動作（作用）の一例を以下に説明する。
【００５４】
制御部５０は、入力されたＰＷＭ信号に基づいて自発光指針１０を回動させるか否かを判定する。そして、回動させないと判定した場合は、第１ＬＥＤポート及び第２ＬＥＤポートをローレベルとし、ＰＷＭポートから前記一定周期のＰＷＭ信号を出力するようにハイレベルとローレベルの切替制御を行う。
【００５５】
すると、第１ＬＥＤ２２ａ及び第２ＬＥＤ２２ｂがＰＷＭ信号に対応して交互に点灯され、第１ＬＥＤ２２ａ及び第２ＬＥＤ２２ｂが発光した光は、それぞれ分割導光部材１２ａ、１２ｂ内に入射され、その内部を導光された光のうち、文字板７の表面側に出射された光は、文字板７の表面を照射し、また、スリット１５が形成された遮光部材１４の上部内面に対して出射された光は、拡散部材１６にて拡散され、スリット１５から出射される。よって、運転者は、自発光指針１０のスリット１５から光輝する分割導光部材１２ａ，１２ｂを認識すると共に、自発光指針１０の裏側からの光によって自発光指針１０の周りの表示板７の表面を視認する。
【００５６】
また、制御部５０は、入力されたＰＷＭ信号に基づいて自発光指針１０を図３中の方向Ｆに回動させると判定した場合は、方向Ｆとは反対の方向Ｒ寄りの第２ＬＥＤ２２ｂを点灯させるために、第１ＬＥＤポートをハイレベルとし、第２ＬＥＤポートをローレベルとし、ＰＷＭポートの前記切替制御を行う。
【００５７】
すると、第２ＬＥＤ２２ｂのみがＰＷＭ信号に対応して点滅され、この光は分割導光部材１２ｂ内に入射され、その内部を導光された光のうち、文字板７の表面側に出射された光は、指示部１１の方向Ｒ寄りの文字板７の表面のみを照射し、また、スリット１５が形成された遮光部材１４の上部内面に対して出射された光は、拡散部材１６にて拡散され、スリット１５から出射される。
【００５８】
よって、自発光指針１０は、スリット１５から回動方向とは反対の方向Ｒ寄りの分割導光部材１２ｂのみが光輝していることが運転者に認識されるとともに、方向Ｒ側の文字板７の表面のみが照明されているように表示されることから、回動する自発光指針１０の実像よりも方向Ｒ側の表示の方が指示部１１の指示位置に遅れて到達するように運転者には見える為、回動方向とは反対の方向Ｒ寄りの指示部１１の部分表示により恰も残像が表示されているように視認させることができる。
【００５９】
また、制御部５０は、入力されたＰＷＭ信号に基づいて自発光指針１０を図３中の方向Ｒに回動させると判定した場合は、方向Ｒとは反対の方向Ｆ寄りの第１ＬＥＤ２２ａを点灯させるために、第１ＬＥＤポートをローレベルとし、第２ＬＥＤポートをハイレベルとし、ＰＷＭポートの前記切替制御を行う。
【００６０】
すると、第１ＬＥＤ２２ａのみがＰＷＭ信号に対応して点滅され、この光は分割導光部材１２ａ内に入射され、その内部を導光された光のうち、文字板７の表面側に出射された光は、指示部１１の方向Ｆ寄りの文字板７の表面のみを照射し、また、スリット１５が形成された遮光部材１４の上部内面に対して出射された光は、拡散部材１６にて拡散され、スリット１５から出射される。
【００６１】
よって、自発光指針１０は、スリット１５から回動方向とは反対の方向Ｆ寄りの分割導光部材１２ｂのみが光輝していることが運転者に認識されるとともに、方向Ｆ側の文字板７の表面のみが照明されているように表示されることから、回動する自発光指針１０の実像よりも方向Ｆ側の表示の方が指示部１１の指示位置に遅れて到達するように運転者には見える為、回動方向とは反対の方向Ｆ寄りの指示部１１の部分表示により恰も残像が表示されているように視認させることができる。
【００６２】
以上説明したように、自発光指針１０が備える２つの分割導光部材１２ａ，１２ｂのうち、光輝させるべき分割導光部材１２ａ，１２ｂにのみ光が入射されるように制御部５０が制御することで、指示部１１を部分的に光輝させることができる。従って、表示対象の状態変化に対応して分割導光部材１２ａ，１２ｂを部分表示させることができるため、文字板７側の構成を複雑化することなく、車両の状態変化を明確に表すことができる。その結果、指針式表示装置における自発光指針１０の視認性の向上や、指針式表示装置の新しいデザインの可能性を広げることができる。
【００６３】
また、例えば、自発光指針１０の指示部１１が方向Ｆ（図３参照）に回動されると、その方向Ｆとは反対の方向Ｒ寄りの分割導光部材１２ｂに光が入射されて光輝することから、回動する指示部１１の実像よりも光輝している分割導光部材の方が、指示部の指示位置に遅れて到達するように観測者には見えるため、このように分割導光部材１２ｂを光輝させることで、恰も残像が表示されているかのように観測者に視認させることができる。
【００６４】
さらに、電力供給ラインＰの予め定められた電力供給パターンにより２つのＬＥＤ２２ａ，２２ｂの全ての点灯、消灯が制御部５０によって制御されるように、２つのＬＥＤ２２ａ，２２ｂを電力供給ラインＰに組み込んでいることから、自発光指針１０に複数の光源を用いても電力供給ラインＰの電力供給パターンによって２つのＬＥＤ２２ａ，２２ｂの点灯、消灯を制御することができるため、２つのＬＥＤ２２ａ，２２ｂを用いる場合でも電力供給ラインＰを増やす必要がなくなり、自発光指針１０における給電構造の簡素化を図ることができる。
【００６５】
なお、上述した本最良の形態では、指示部１１を２つの分割導光部材１２ａ，１２ｂによって構成する場合について説明したが、本発明はこれに限定するものではなく、３つ以上の分割導光部材を用いるなど種々異なる実施の形態とすることができる。
【００６６】
そこで、上述した指針式表示装置において、自発光指針の分割導光部材が３つの場合の最良の形態を、上述した図面と図７〜９の図面を参照して以下に説明する。なお、指針式表示装置の基本構成は、上述した構成とほぼ同一であるため、上述した構成で説明したものと同一あるいは相当する部分には同一符号を付してその詳細な説明は省略する。
【００６７】
ここで、図７は３つの分割導光部材を備える本発明の自発光指針の上面透視図であり、図８は図７の直線Ｂ−Ｂを通る矢印方向の断面図であり、図９は３つの分割導光部材を備える自発光指針を用いた指針式表示装置の概略構成の一例を示す構成図である。
【００６８】
自発光指針１０は、図７及び図８に示すように、該文字板７に付した目盛７ａ及び指標７ｂと協働して計測量を観測者から視認可能に表示するための指示部１１を備える。この指示部１１は、該指示部１１の延在方向と交わる幅方向に連設された３つの分割導光部材１２ａ，１２ｃ，１２ｂと、前記各分割導光部材１２ａ，１２ｃ，１２ｂ内を導かれる光の隣り合う他の前記分割導光部材１２ａ，１２ｃ，１２ｂへの入射を阻止する反射層（阻止手段）１３と、を備える。そして、各分割導光部材１２ａ，１２ｃ，１２ｂは、光源から入射される光のみにより光輝するように構成されている。
【００６９】
指示部１１は、２つの分割導光部材１２ａ，１２ｂの間に、指示部１１の前記幅方向の中心に位置するように分割導光部材１２ｃを介在させている。そして、各分割導光部材１２ａ，１２ｃ，１２ｂは、それらを指示部１１の延在方向と交わる幅方向に列設したときに、その形状が指示部１１の形状とほぼ等しくなるように、アクリル樹脂等の透光性の合成樹脂によってそれぞれ形成している。
【００７０】
反射層１３は、他の分割導光部材１２ｃと対面する分割導光部材１２ａ，１２ｂの各側壁に、ホットスタンプ印刷等によってそれぞれ施されている。なお、反射層１３については、指示部における前記幅方向の中央に位置する分割導光部材１２ｃの両側壁に施す、各分割導光部材１２ａ，１２ｃ，１２ｂが他の分割導光部材１２ａ，１２ｃ，１２ｂと対面する全ての側壁に施す等の種々異なる実施の形態とすることができる。
【００７１】
指示部１１はさらに、３つの分割導光部材１２ａ，１２ｃ，１２ｂを覆う遮光部材１４を備え、この遮光部材１４の運転者から目視可能な表面部分には、各分割導光部材１２ａ，１２ｃ，１２ｂを露出させるスリット１５が形成されている。なお、本実施の形態において該スリット１５は、自発光指針１０の回動中心から指示部１１の先端に至るように形成しているが、スリット１５の長さはこれに限定するものではなく、デザイン等に応じて変化するのもである。
【００７２】
また、遮光部材１４は、文字板７の表面と対面する指示部１３の底面部分を開口状としていることから、遮光部材１４が分割導光部材１２ａ，１２ｃ，１２ｂを覆うのみで、指示部１３を組み付けられるようにしている。そして、本最良の形態では、反射層１３を、文字板７の表面と対面する分割導光部材１２ａ，１２ｂ，１２ｃの各底面に施すことで、分割導光部材１２ａ，１２ｃ，１２ｂからその内部を導光している光が、文字板７の表面に対して出射することを阻止している。
【００７３】
指示部１１はさらに、遮光部材１４のスリット１５に対向するように設けられ、各分割導光部材１２ａ，１２ｃ，１２ｂから出射した光を拡散する板状の拡散部材１６を備える。そして、各分割導光部材１２ａ，１２ｃ，１２ｂの上面（観測者から目視可能な表面部分）等から出射した光は、拡散部材１６にて拡散されるので、分割導光部材１２ａ，１２ｃ，１２ｂの何れかしか光輝しない場合でも、スリット１５からは十分な光量の光を出射させることができる。
【００７４】
指示部１１は、文字板７の裏側に配置される内機（図示せず）により駆動される指針軸３１に固定される基部２０を覆う指針キャップ２１の周縁から連設している。この指針キャップ２１の内部には、予め定められた分割導光部材１２ａ，１２ｃ，１２ｂの端部と対向し、該端部から入射される光を発光する３つの第１ＬＥＤ２２ａ，第３ＬＥＤ２２ｃ，第２ＬＥＤ２２ｂを収容している。そして、光源である第１ＬＥＤ２２ａ，第３ＬＥＤ２２ｃ，第２ＬＥＤ２２ｂは、回路パターンが設けられた基板２３に実装されており、該基板２３は基部２０上に設けて指針キャップ２１に収容している。
【００７５】
また、光源が３つの場合も、上述したように、自発光指針１０を指針軸３１の先端の接続金具３２に取り付けることで、該接続金具３２と指針袴２４、かつ、接続端子２５と指針軸３１とがそれぞれ電気的に接続される。そして、ヒゲゼンマイ２６ａ，２６ｂを介して第１ＬＥＤ２２ａ，第３ＬＥＤ２２ｃ，第２ＬＥＤ２２ｂ等に電力が供給されるようになっている。
【００７６】
供給基板２９は、図９に示すように供給基板２９側を、上述した図５と同一の構成としている。そして、基板側２３側に、分岐ラインＰ１と分岐ラインＰ２とに並列の分岐ラインＰ３を新たに設けている。この分岐ラインＰ３には、第３ＬＥＤ２２ｃと、この第３ＬＥＤ２２ｃへの電力供給方向を一方向に既定するダイオード・ブリッジＤ３と、抵抗Ｒ１２と、を設けている。
【００７７】
基板２３側を以上のように構成することで、電力供給ラインＰの一方向Ｃ１に第１Ｃ−ＭＯＳ（Ｍ１）から電力が供給されたときに、第１ＬＥＤ２２ａ及び第３ＬＥＤ２２ｃがともに点灯され、かつ、他方向Ｃ２に第２Ｃ−ＭＯＳ（Ｍ２）から電力が供給されたときに第２ＬＥＤ２２ｂ及び第３ＬＥＤ２２ｃがともに点灯される。
【００７８】
なお、第３ＬＥＤ２２ｃは、ダイオード・ブリッジＤ３の電圧ドロップにより若干輝度が低下するため、予め実験等によって抵抗Ｒ１０，Ｒ１１，Ｒ１２を指針側に内蔵して輝度を測定し、調整するようにしている。
【００７９】
次に、上述した構成における第１ＬＥＤ２２ａ，第３ＬＥＤ２２ｃ，第２ＬＥＤ２２ｂの点灯、消灯の動作（作用）の一例を以下に説明する。
【００８０】
制御部５０の第１ＬＥＤポート及び第２ＬＥＤポートがハイレベルの状態で、ＰＷＭポートから一定周期のＰＷＭ信号が入力されても、第１ＬＥＤ２２ａ，第３ＬＥＤ２２ｃ，第２ＬＥＤ２２ｂには、電力が供給されない。なお、一定周期については、本実施の形態では、各ＬＥＤが点滅を繰り返すように制御することから、人間の目にちらつきが分からない程度の周期としている。
【００８１】
第２ＬＥＤポートがハイレベルからローレベルに変化すると、ＰＷＭ信号がハイレベルのときに電力供給ラインＰの他方向Ｃ２に向かって電力が供給されることで、第２ＬＥＤ２２ｂ及び第３ＬＥＤ２２ｃが点灯され、また、ＰＷＭ信号がローレベルのときはその電力供給が停止されて第２ＬＥＤ２２ｂ及び第３ＬＥＤ２２ｃが消灯される。このように制御部５０の第２ＬＥＤポートがローレベルのときに、ＰＷＭ信号のハイレベル／ローレベルに応じて第２ＬＥＤ２２ｂが点灯／消灯が繰り返されることで、運転者は第２ＬＥＤ２２ｂ及び第３ＬＥＤ２２ｃが発した光によって分割導光部材１２ｂ，１２ｃが光輝していると視認する。
【００８２】
また、第１ＬＥＤポートがハイレベルからローレベルに変化すると、ＰＷＭ信号がローレベルのときに電力供給ラインＰの一方向Ｃ１に向かって電力が供給されることで、第１ＬＥＤ２２ａ及び第３ＬＥＤ２２ｃが点灯され、また、ＰＷＭ信号がハイレベルのときはその電力供給が停止されて第１ＬＥＤ２２ａ及び第３ＬＥＤ２２ｃが消灯される。このように制御部５０の第１ＬＥＤポートがローレベルのときに、ＰＷＭ信号のローレベル／ハイレベルに応じて第１ＬＥＤ２２ａ及び第３ＬＥＤ２２ｃが点灯／消灯が繰り返されることで、運転者は第１ＬＥＤ２２ａ及び第３ＬＥＤ２２ｃが発した光によって分割導光部材１２ａ，１２ｃのみが光輝していると視認する。
【００８３】
さらに、第１ＬＥＤポート及び第２ＬＥＤポートが双方ともローレベルの状態では、ＰＷＭ信号がローレベルのときに第１ＬＥＤ２２ａ及び第３ＬＥＤ２３ｃが点灯され、かつ、ＰＷＭ信号がハイレベルのときに第２ＬＥＤ２２ｂ及び第３ＬＥＤ２２ｃが点灯される。よって、前記一定周期で第１ＬＥＤ２２ａ，第３ＬＥＤ２２ｃ，第２ＬＥＤ２２ｂを点滅を繰り返させることで、運転者は恰も第１ＬＥＤ２２ａ，第３ＬＥＤ２２ｃ，第２ＬＥＤ２２ｂが発した光によって分割導光部材１２ａ，１２ｂ，１２ｃが常時光輝していると視認する。
【００８４】
次に、上述した指針式表示装置において、自発光指針１０の疑似残像表示を行うときの動作（作用）の一例を以下に説明する。
【００８５】
制御部５０は、入力されたＰＷＭ信号に基づいて自発光指針１０を回動させるか否かが判定する。そして、回動させないと判定した場合は、第１ＬＥＤポート及び第２ＬＥＤポートをローレベルとし、ＰＷＭポートから前記一定周期のＰＷＭ信号を出力するようにハイレベルとローレベルの切替制御を行う。
【００８６】
すると、第１ＬＥＤ２２ａ及び第３ＬＥＤ２２ｃが点灯され、その後、第２ＬＥＤ２２ｂ及び第３ＬＥＤ２２ｃが点灯されるというように、ＰＷＭ信号に対応して交互に点灯される。第１ＬＥＤ２２ａ，第３ＬＥＤ２２ｃ，第２ＬＥＤ２２ｂが発光した光は、それぞれ分割導光部材１２ａ、１３ｃ，１２ｂ内に入射され、その内部を導光された光のうち、スリット１５が形成された遮光部材１４の上部内面に対して出射された光は、拡散部材１６にて拡散され、スリット１５から出射される。よって、運転者は、自発光指針１０のスリット１５から光輝する分割導光部材１２ａ，１２ｂを認識する。
【００８７】
また、制御部５０は、入力されたＰＷＭ信号に基づいて自発光指針１０を図３中の方向Ｆに回動させると判定した場合は、方向Ｆとは反対の方向Ｒ寄りの第２ＬＥＤ２２ｂ及び第３ＬＥＤ２２ｃを点灯させるために、第１ＬＥＤポートをハイレベルとし、第２ＬＥＤポートをローレベルとし、ＰＷＭポートの前記切替制御を行う。
【００８８】
すると、第２ＬＥＤ２２ｂ及び第３ＬＥＤ２２ｃのみがＰＷＭ信号に対応して点滅され、この光は分割導光部材１２ｂ，１２ｃ内に入射され、その内部を導光された光のうち、スリット１５が形成された遮光部材１４の上部内面に対して出射された光は、拡散部材１６にて拡散され、スリット１５から出射される。
【００８９】
よって、自発光指針１０は、スリット１５から回動方向とは反対の方向Ｒ寄りの分割導光部材１２ｂ，１２ｃのみが光輝していることが運転者に認識されることから、回動する自発光指針１０の実像よりも分割導光部材１２ｂ，１２ｃの方が指示部１１の指示位置に遅れて到達するように運転者には見える為、回動方向とは反対の方向Ｒ寄りの指示部１１の部分表示により恰も残像が表示されているように視認させることができる。
【００９０】
また、制御部５０は、入力されたＰＷＭ信号に基づいて自発光指針１０を図３中の方向Ｒに回動させると判定した場合は、方向Ｒとは反対の方向Ｆ寄りの第１ＬＥＤ２２ａを点灯させるために、第１ＬＥＤポートをローレベルとし、第２ＬＥＤポートをハイレベルとし、ＰＷＭポートの前記切替制御を行う。
【００９１】
すると、第１ＬＥＤ２２ａ及び第３ＬＥＤのみがＰＷＭ信号に対応して点滅され、この光は分割導光部材１２ａ内に入射され、その内部を導光された光のうち、スリット１５が形成された遮光部材１４の上部内面に対して出射された光は、拡散部材１６にて拡散され、スリット１５から出射される。
【００９２】
よって、自発光指針１０は、スリット１５から回動方向とは反対の方向Ｆ寄りの分割導光部材１２ｂ，１２ｃのみが光輝していることが運転者に認識されることから、回動する自発光指針１０の実像よりも方向Ｆ側の分割導光部材１２ａ，１２ｃの方が指示部１１の指示位置に遅れて到達するように運転者には見える為、回動方向とは反対の方向Ｆ寄りの指示部１１の部分表示により恰も残像が表示されているように視認させることができる。
【００９３】
以上説明したように、自発光指針１０が備える３つの分割導光部材１２ａ，１２ｃ，１２ｂのうち、光輝させるべき分割導光部材１２ａ，１２ｃ，１２ｂにのみ光が入射されるように制御部５０が制御することで、指示部１１を部分的に光輝させることができる。従って、表示対象の状態変化に対応して分割導光部材１２ａ，１２ｂを部分表示させることができるため、文字板７側の構成を複雑化することなく、車両の状態変化を明確に表すことができる。その結果、指針式表示装置における自発光指針１０の視認性の向上や、指針式表示装置の新しいデザインの可能性を広げることができる。
【００９４】
また、例えば、自発光指針１０の指示部１１が方向Ｆ（図３参照）に回動されると、その方向Ｆとは反対の方向Ｒ寄りの分割導光部材１２ｂ，１２ｃに光が入射されて光輝することから、回動する指示部１１の実像よりも光輝している分割導光部材の方が、指示部の指示位置に遅れて到達するように観測者には見えるため、このように分割導光部材１２ｂ，１２ｃを光輝させることで、恰も残像が表示されているかのように観測者に視認させることができる。
【００９５】
さらに、電力供給ラインＰの予め定められた電力供給パターンにより２つのＬＥＤ２２ａ，２２ｂ，２２ｃの全ての点灯、消灯が制御部５０によって制御されるように、３つのＬＥＤ２２ａ，２２ｂ，２２ｃを電力供給ラインＰに組み込んでいることから、自発光指針１０に複数の光源を用いても電力供給ラインＰの電力供給パターンによって３つのＬＥＤ２２ａ，２２ｂ，２２ｃの点灯、消灯を制御することができるため、３つのＬＥＤ２２ａ，２２ｂ，２２ｃを用いる場合でも電力供給ラインＰを増やす必要がなくなり、自発光指針１０における給電構造の簡素化を図ることができる。
【００９６】
なお、上述した本最良の形態では、例えば、自発光指針１０の指示部１１を方向Ｆ（図３参照）に回動する際に、その方向Ｆとは反対の方向Ｒ寄りの分割導光部材１２ｂ，１２ｃを光輝させる場合について説明したが、指示部１１の中央に位置する分割導光部材１２ｃは光輝させずに、分割導光部材１２ｂのみを光輝させるような実施の形態とすることもできる。
【図面の簡単な説明】
【００９７】
【図１】本発明に係る指針式表示装置を採用したコンビネーションメータの正面図である。
【図２】図１の本発明に係る自発光指針の構成を説明するための図である。
【図３】図２の自発光指針の上面透視図である。
【図４】図３の直線Ａ−Ａと通る矢印方向の断面拡大図である。
【図５】指針式表示装置の概略構成の一例を示す構成図である。
【図６】図５中の各ポイントにおけるタイミングチャートである。
【図７】３つの分割導光部材を備える本発明の自発光指針の上面透視図である。
【図８】図７の直線Ｂ−Ｂを通る矢印方向の断面図である。
【図９】３つの分割導光部材を備える自発光指針を用いた指針式表示装置の概略構成の一例を示す構成図である。
【符号の説明】
【００９８】
１０    自発光指針
１１    指示部
１２ａ，ｂ，ｃ    分割導光部材
１３    反射層（阻止手段）
１４    遮光部材
１５    スリット
２２ａ，ｂ，ｃ    ＬＥＤ（光源）
５０    制御部（制御手段）
Ｐ    電力供給ライン
【図１】
2005121376.tif 000003
【図２】
2005121376.tif 000004
【図３】
2005121376.tif 000005
【図４】
2005121376.tif 000006
【図５】
2005121376.tif 000007
【図６】
2005121376.tif 000008
【図７】
2005121376.tif 000009
【図８】
2005121376.tif 000010
【図９】
2005121376.tif 000011